(57)【要約】【課題】  セレクタホルダーを樹脂により一体成形することで作業性やコスト性を向上する。【解決手段】  メダルセレクタ１０を保持するセレクタホルダー１１を備えた遊技機１において、セレクタホルダー１１は、ベース本体１１０とベース本体１１０の側部に設けられた弾性を有する側壁部１１１とを備えた樹脂製の部材であり、側壁部１１１を、所定の形態からベース本体１１０の外側に傾くように変形させることによってメダルセレクタ１０を着脱可能であり、メダルセレクタ１０を装着した後、側壁部１１１を前記所定の形態に戻すことに基づいて、メダルセレクタ１０を固定することが可能であり、側壁部１１１には、側壁部１１１を前記所定の形態に戻した状態においてメダルセレクタ１０を押圧可能な領域である押圧部１３０が設けられ、押圧部１３０による押圧により、セレクタホルダー１１に装着されたメダルセレクタ１０を固定可能な構成としている。【選択図】    図４
2020065664.tif 000002
【特許請求の範囲】
【請求項１】
遊技媒体を検出するメダルセレクタと、前記メダルセレクタを着脱可能に保持するセレクタホルダーと、を備えた遊技機において、
前記セレクタホルダーは、
ベース本体と、前記ベース本体の側部に設けられた弾性を有する側壁部と、を備えた樹脂製の部材であり、
前記側壁部を、所定の形態から前記ベース本体の外側に傾くように変形させることによって前記メダルセレクタを着脱可能であり、
前記メダルセレクタを装着した後、前記側壁部を前記所定の形態に戻すことに基づいて、前記メダルセレクタを固定することが可能であり、
前記側壁部には、前記側壁部を前記所定の形態に戻した状態において前記メダルセレクタを押圧可能な領域が設けられ、前記領域による押圧により、前記セレクタホルダーに装着された前記メダルセレクタを固定することが可能である
ことを特徴とする遊技機。
【請求項２】
前記メダルセレクタと前記側壁部のうち、一方には、凸部が設けられるとともに、他方には、前記凸部に対応した凹部が設けられ、
前記セレクタホルダーは、
前記側壁部を前記所定の形態から前記ベース本体の外側に傾くように変形させて前記メダルセレクタを装着することにより、前記凸部が前記凹部に係止され、当該係止に基づいて、前記メダルセレクタが取り外し困難に装着されるとともに、前記側壁部が前記所定の形態に戻る
ことを特徴とする請求項１に記載の遊技機。
【請求項３】
前記セレクタホルダーは、
前記ベース本体の下部に設けられた下壁部を備え、
前記下壁部と前記側壁部とは、連続して形成されている
ことを特徴とする請求項１又は２に記載の遊技機。
【請求項４】
前記セレクタホルダーは、
前記側壁部と前記ベース本体とが一体に成形されている
ことを特徴とする請求項１〜３のいずれか一項に記載の遊技機。
【請求項５】
前記セレクタホルダーは、
前記側壁部は、当該側壁部の所定部位を押圧操作することにより、前記所定の形態から前記ベース本体の外側に傾くように変形させることが可能であり、
前記所定部位が、直線状に形成されている
ことを特徴とする請求項１〜４のいずれか一項に記載の遊技機。
【請求項６】
前記セレクタホルダーは、
導電性を有する導電部材により構成可能であり、前記導電部材を介して前記メダルセレクタの接地が可能である
ことを特徴とする請求項１〜５のいずれか一項に記載の遊技機。
【発明の詳細な説明】
【技術分野】
【０００１】
本発明は、遊技媒体を用いて遊技を行う遊技機に関する。
【背景技術】
【０００２】
遊技場に設置された遊技機として、例えば、スロットマシンがある。
スロットマシンは、通常、投入されたメダル（遊技媒体）が所定の規格に適合するか否かの選別を行うためのメダルセレクタを備えており、このメダルセレクタは、セレクタホルダーと呼ばれる部材を介して遊技機に取り付けられる。
セレクタホルダー（セレクタベース）は、必要な強度を確保すべく、また、設計の容易性から、一般に金属によって構成される。
例えば、特許文献１には、導電性の金属板からなるセレクタベースが開示されている。
【先行技術文献】
【特許文献】
【０００３】
【特許文献１】特開２００６−００６９０１号公報
【発明の概要】
【発明が解決しようとする課題】
【０００４】
しかしながら、このようなセレクタホルダーを備える従来の遊技機には改良の余地があった。
【課題を解決するための手段】
【０００５】
上記目的を達成するため、本発明の遊技機は、遊技媒体を検出するメダルセレクタと、前記メダルセレクタを着脱可能に保持するセレクタホルダーと、を備えた遊技機において、前記セレクタホルダーは、ベース本体と、前記ベース本体の側部に設けられた弾性を有する側壁部と、を備えた樹脂製の部材であり、前記側壁部を、所定の形態から前記ベース本体の外側に傾くように変形させることによって前記メダルセレクタを着脱可能であり、前記メダルセレクタを装着した後、前記側壁部を前記所定の形態に戻すことに基づいて、前記メダルセレクタを固定することが可能であり、前記側壁部には、前記側壁部を前記所定の形態に戻した状態において前記メダルセレクタを押圧可能な領域が設けられ、前記領域による押圧により、前記セレクタホルダーに装着された前記メダルセレクタを固定することが可能な構成としてある。
【図面の簡単な説明】
【０００６】
【図１】遊技機の外観を示す概略斜視図である。
【図２】遊技機の内部構成を示す概略斜視図である。
【図３】メダルセレクタが装着されるセレクタホルダーを示す図である。
【図４】本発明のセレクタホルダーの外観図であり、（ａ）は正面図、（ｂ）は左側面図、（ｃ）は平面図、（ｄ）は底面図である。
【図５】本発明のセレクタホルダーの斜視図であり、（ａ）はメダルセレクタが取り外された状態の図、（ｂ）はメダルセレクタが装着された状態の図である。
【図６】本発明のセレクタホルダーに対するメダルセレクタの装着方法を示す第１の図であり、（ａ）は装着開始時、（ｂ）は装着中、（ｃ）は装着完了後を示す上方模式図である。
【図７】本発明のセレクタホルダーに対するメダルセレクタの装着方法を示す第２の図であり、（ａ）は装着前、（ｂ）は装着中、（ｃ）は装着完了後を示す斜視図である。
【図８】改良前のセレクタホルダーの外観図であり、（ａ）は正面図、（ｂ）は左側面図、（ｃ）は平面図、（ｄ）は底面図、（ｅ）は斜視図である。
【図９】改良前のセレクタホルダーに対するメダルセレクタの装着方法を示す第１の図であり、（ａ）は装着開始時、（ｂ）は装着中、（ｃ）は装着完了後を示す上方模式図である。
【図１０】改良前のセレクタホルダーに対するメダルセレクタの装着方法を示す第２の図であり、（ａ）は装着前、（ｂ）は装着中、（ｃ）は装着完了後を示す斜視図である。
【図１１】改良前のセレクタホルダーと周辺部材の斜視図であり、（ａ）はメダルセレクタの装着前、（ｂ）はメダルセレクタの装着中、（ｃ）はメダルセレクタの装着完了後を示す図である。
【図１２】改良前のセレクタホルダーと周辺部材の正面図であり、（ａ）はメダルセレクタの装着前、（ｂ）はメダルセレクタの装着中、（ｃ）はメダルセレクタの装着完了後を示す図である。
【図１３】本発明のセレクタホルダーと周辺部材の斜視図であり、（ａ）はメダルセレクタの装着前、（ｂ）はメダルセレクタの装着中、（ｃ）はメダルセレクタの装着完了後を示す図である。
【図１４】本発明のセレクタホルダーと周辺部材の正面図であり、（ａ）はメダルセレクタの装着前、（ｂ）はメダルセレクタの装着中、（ｃ）はメダルセレクタの装着完了後を示す図である。
【発明を実施するための形態】
【０００７】
以下、本発明に係る遊技機の好ましい実施形態について、各図を参照して説明する。
【０００８】
遊技機には、スロットマシン、パチンコ機など様々な種類があるが、本発明をスロットマシンに適用した場合について、図１〜図１５を参照しながら説明する。
【０００９】
図１〜２に示すように、本実施形態のスロットマシン１は、回動可能に軸支された複数のリール４１ａ，４１ｂ，４１ｃが内蔵され、正面側が開口した筐体１ｂと、筐体１ｂの正面側を開閉可能に覆う前扉１ａとで構成され、内部には、マイクロコンピュータ等で構成された主制御部７、主制御部７からの指令により、表示器９などの報知手段を制御する副制御部８、及び必要な機械，装置等が収納されている。
【００１０】
前扉１ａは、図２に示すように、スロットマシン１の筐体１ｂにヒンジ等を介して開閉可能に取り付けられる扉体で、この前扉１ａに遊技操作に係る複数の操作部が設けられて、スロットマシン１の正面部を構成している。
【００１１】
操作部として、例えば、円板形状の遊技媒体であるメダルが投入されるメダル投入口２と、機内にクレジットとして貯留されたメダルをゲームに投じるベットボタン２ａと、各リール４１ａ，４１ｂ，４１ｃの回転を始動させるスタートレバー３と、回転している各リール４１ａ，４１ｂ，４１ｃを停止させる３つの停止ボタン５ａ，５ｂ，５ｃなどが設けられている。
操作部の配置領域のメダル投入口２側の端部には、前扉１ａ用の錠前（鍵穴）９０が設けられている。
【００１２】
さらに、前扉１ａには、各リール４１ａ，４１ｂ，４１ｃに表示された図柄を視認可能とする表示窓２ｂが、各操作部の上側に設けられている。
また、前扉１ａ上部には、液晶ＴＶなどの表示器９が設けられている。
【００１３】
筐体１ｂの中央には、リール４１ａ，４１ｂ，４１ｃと、各リール４１ａ，４１ｂ，４１ｃを回転させる図示しないモータ及び回転位置を検出するセンサ等を備えるドラムユニット４が設けられる。
また、筐体１ｂの下部には、メダルの貯留・払出しを行うメダル払出装置６が設けられる。メダル払出装置６には、メダルを貯留する貯留部として機能するホッパー６１が設けられ、メダル投入口２より投入されたメダルは、メダルセレクタ１０により検出されるとともに、ホッパー６１に誘導されるようになっている。
メダルセレクタ１０は、前扉１ａの裏側の所定位置に設けられている。
具体的には、図３に示すように、この位置には、セレクタホルダー１１が設置されており、メダルセレクタ１０は、このセレクタホルダー１１に装着される。
以下、図２及び図３に示す「左」の方向を左方向とし、図２及び図３に示す「右」の方向を右方向とする。
【００１４】
主制御部７は、メインＣＰＵ、メインＲＯＭ、メインＲＡＭなどが一体化された制御用チップの搭載された主基板、これを収容する基板ケース等から構成され、上記の各操作部からの信号やメダルセレクタ１０からの信号に基づき、ドラムユニット４、メダル払出装置６などの各装置を制御することで、以下のようなスロットマシン遊技を進行させる。
【００１５】
具体的には、遊技者によりメダル投入口２からメダルが投入されると、メダルがメダルセレクタ１０により検出され、検出信号が主制御部７に入力される。また、ベットボタン２ａが操作された場合は、その操作信号が主制御部７に入力される。主制御部７は、これらの信号の入力の有無からゲーム可能なメダル数を監視するとともに、スタートレバー３の操作を監視する。
ゲーム開始可能なメダル数となったときに、スタートレバー３が操作されると、主制御部７は、ドラムユニット４を駆動して、各リール４１ａ，４１ｂ，４１ｃを回転させる制御を行う。
【００１６】
さらに、主制御部７は、スタートレバー３が操作されたときに、ボーナス遊技に移行する開始役であるボーナス役、小役、再遊技役などの複数の当選役（ハズレも含む）の中から今回ゲームの抽選結果をリール４１の停止前に事前に決定する内部抽選を行い、各停止ボタン５ａ，５ｂ，５ｃが押下操作されたタイミングに基づき、抽選結果に応じた図柄の組合せで停止するよう、回転している各リール４１ａ，４１ｂ，４１ｃの停止制御を行う。
【００１７】
また、主制御部７は、各リール４１ａ，４１ｂ，４１ｃに停止表示される図柄の組合せを判定し、所定の図柄の組合せのときには、メダル払出装置６に対して所定数のメダルを払い出す制御を行い、メダルをメダル払出口６ａから払い出す。
【００１８】
また、スロットマシン１では、上述したようなスロットマシン遊技において、主制御部７が所定の遊技タイミング（例えば、スタートレバー操作、停止ボタン操作、ボーナスゲーム開始、ボーナス役当選など）において所定の制御信号を副制御部８に出力することで、副制御部８が、この制御信号に従い、予め記憶した演出プログラムに基づき、表示器９などの報知手段を制御して、所定の遊技演出を行うようになっている。
【００１９】
本実施形態のスロットマシン１は、このような通常のスロットマシンが有する基本的な構成に加え、メダルセレクタ１０が装着されるセレクタホルダー１１において、以下に示す特徴的な構成を備えている。
【００２０】
［セレクタホルダー］
セレクタホルダー１１は、図４及び図５に示すように、有底箱状の筐体であり、この筐体の内部にメダルセレクタ１０が装着される。
なお、セレクタホルダー１１に装着されるメダルセレクタ１０は、矩形状の立体筐体からなり、左側部１０４及び右側部には、それぞれ外側に突出した左凸部１０１及び右凸部１０２が設けられている（図３，５等参照）。
セレクタホルダー１１は、このようなメダルセレクタ１０に対応した矩形状のベース本体１１０と、ベース本体１１０の四辺にあたる各端部からほぼ直立する側壁部１１１〜１１４と、を備え、これらが、射出成形等により、樹脂を用いて一体成形されている。
なお、ベース本体１１０の左端部、右端部、上端部、下端部に立設された各側壁部を、それぞれ左壁部１１１、右壁部１１２、上壁部１１３、下壁部１１４という。
このような構成からなるセレクタホルダー１１によれば、装着されたメダルセレクタ１０を、ベース本体１１０や各側壁部１１１〜１１４によって物理的に保護することができる（図５（ｂ）等参照）。
セレクタホルダー１１は、ベース本体１１０の対向側が開放されており、ここからメダルセレクタ１０の装着及び取り外し（着脱ともいう）ができるようになっている。
また、セレクタホルダー１１には、別部材であるアース端子１５０が取り付けられている。
具体的には、アース端子１５０は、導通部材である金属片からなり、装着状態のメダルセレクタ１０と接触するように金属片の先端部が、前記メダルセレクタ１０の所定部位と接触するように、ベース本体１１０にネジ止めにより取り付けられている。
【００２１】
図４及び図５に示すように、右壁部１１２と下壁部１１４は一連に形成されている。
これにより、メダルセレクタ１０に対する右方又は下方からの不正行為を効果的に防止することができる。
例えば、メダル払出口６ａから不正部材を挿入して、メダルセレクタ１０の構成部品に対してアクセスするという不正行為を防ぐことができる。
【００２２】
図５（ａ）等に示すように、右壁部１１２は、下壁部１１４及び上壁部１１３と一連に形成されることで、直立した形態が保たれている。
これに対し、左壁部１１１は、図５（ａ）等に示すように、上壁部１１３や下壁部１１４とは一連に形成されていないため、右壁部１１２に比べ弾性をもって変形し易い。
このため、左壁部１１１は、押圧力を加えることで、ベース本体１１０との接合部分を基に外側に傾くように撓ませることができる。
ただし、左壁部１１１とベース本体１１０との接合部分にはリブ１１５を設け、これにより、当該接合部分を補強するとともに、左壁部１１１に一定の剛性を付与している。
これにより、左壁部１１１は、比較的強い力で押圧力を加えることで、元の形態（ほぼ直立した形態）から少しだけ傾かせることができ、その押圧力をなくすと、弾性変形により、元の形態に戻るようになっている。
【００２３】
左壁部１１１及び右壁部１１２には、メダルセレクタ１０の左凸部１０１及び右凸部１０２を係止可能な左凹部１２１及び右凹部１２２が設けられている（図５（ａ）等参照）。
左凹部１２１及び右凹部１２２は、具体的には、左壁部１１１及び右壁部１１２に設けられた開口穴であり、メダルセレクタ１０が所定の装着位置に装着された状態において、当該メダルセレクタ１０の左凸部１０１及び右凸部１０２と重なる位置に設けられている。
【００２４】
このようなセレクタホルダー１１に対するメダルセレクタ１０の装着方法について説明する。
図６及び図７は、本発明のセレクタホルダー１１に対するメダルセレクタ１０の装着方法を示す図であり、図６は上方模式図、図７は斜視図である。
図７（ａ）は装着前のセレクタホルダー１１を示す図であり、図６（ａ）は装着開始時、図６（ｂ）及び図７（ｂ）は装着中（装着完了直前）、図６（ｃ）及び図７（ｃ）は装着完了後を示す図である。
【００２５】
まず、図６（ａ）に示すように、空のセレクタホルダー１１に対しメダルセレクタ１０を斜めに向けつつ、右凸部１０２を、右壁部１１２の右凹部１２２に挿入して係止させ、係止状態を保持させたまま、左凸部１０１を左壁部１１１に当接させる。
【００２６】
次に、図６（ｂ）に示すように、左凸部１０１を奥側に押し込む。
このほか、右凸部１０２を右壁部１１２の右凹部１２２に係止させた後、左壁部１１１の端縁部１２３を片方の手（例えば、左手の親指等）で押し広げつつ、もう片方の手（例えば、右手等）でメダルセレクタ１０を奥側に押し込む操作を行ってもよい。
これにより、メダルセレクタ１０は、装着位置に近づき（矢印ａ参照）、左壁部１１１は、左凸部１０１から押圧され、左側（外側）に傾くように変形する（矢印ｂ参照）。
【００２７】
図６（ｃ）に示すように、メダルセレクタ１０が装着位置に配置されると、メダルセレクタ１０は、セレクタホルダー１１にロックされた状態で装着される。
具体的には、メダルセレクタ１０が装着位置に配置されると、左凸部１０１と左凹部１２１とが重なるため、左壁部１１１は、それまで押圧されていた左凸部１０１からの押圧力を失う。
そうすると、左壁部１１１は、弾性変形によって元の形態に戻り、これに伴って、左凸部１０１が左凹部１２１に挿入される。
これにより、メダルセレクタ１０は、左凸部１０１及び右凸部１０２が、それぞれ左凹部１２１及び右凹部１２２に係止される（図６（ｃ）及び図７（ｃ）参照）。
この結果、メダルセレクタ１０は、セレクタホルダー１１の所定の装着位置において、取り外し困難に装着される（ロック機構）。
なお、装着したメダルセレクタ１０は、左壁部１１１の端縁部１２３を、例えば、手（例えば、左手の親指等）で押し広げる操作を行うことにより取り外すことができる。
すなわち、左壁部１１１をこのように変形させることで、左凸部１０１が左凹部１２１から抜き出されて、ロック状態（係止状態）が解除されるため、ロック解除された状態では、メダルセレクタ１０は、前方に引き抜くことで取り出すことができる。
【００２８】
ところで、図７（ｃ）に示すように、左凸部１０１は、ロック状態において、左凹部１２１の開口穴から外側に突出しない程度に挿入された状態で係止される。
これは、左壁部１１１が一定の剛性を有しており、左凸部１０１が左凹部１２１に浅く挿入された状態でも、形態が固定されているためにしっかりと係止することができるからである。
また、左凸部１０１が左凹部１２１に浅く挿入された状態で係止するようにすることで、メダルセレクタ１０を取り外す場合には、左壁部１１１を少し外側に傾けるだけでロック状態を解除して取り外すことができるからである。
また、取り外す場合と同様、左壁部１１１を少し外側に傾けるように変形させるだけで、メダルセレクタ１０を、セレクタホルダー１１に装着することができる。
このように、本発明のセレクタホルダー１１は、左壁部１１１を変形させることでメダルセレクタ１０を着脱できるところ、左壁部１１１は、少し外側に傾けるだけでメダルセレクタ１０を着脱できるようにしている。
【００２９】
セレクタホルダー１１は、このほか、メダルセレクタ１０を、左壁部１１１により側方から押圧し、これにより、メダルセレクタ１０を、左壁部１１１と右壁部１１２とにより挟んで固定する機構を備えている。
このようなメダルセレクタ１０に対する押圧固定は、具体的には、左壁部１１１に設けられた「押圧部」により行われる。
【００３０】
［押圧部］
押圧部１３０は、図４，５に示すように、左壁部１１１に設けた２つの細長短冊状の領域からなり、各領域の周囲を、一部（非スリット部１３３）を除いてスリット１３１を施し、各領域の内側端部に突起部１３２を設けることによって構成される。
このような押圧部１３０は、押圧することで非スリット部１３３を基点に斜めに変形する弾性を有している。
そして、この弾性を利用し、押圧部１３０を、その弾性変形によって装着状態のメダルセレクタ１０の左側部１０４を押圧できるようしている（図６（ｃ），図７（ｃ）参照）。
これにより、メダルセレクタ１０を、左壁部１１１（押圧部１３０）と右壁部１１２とにより挟んで固定することができる。
このとき、押圧部１３０は、メダルセレクタ１０の左側部１０４から反作用として押圧力を受けるものの左壁部１１１はその押圧力をほぼ受けない。
これは、押圧部１３０と左壁部１１１との間にスリット１３１を設け、押圧部１３０に対する押圧力を左壁部１１１に伝わりにくい構造にしているからである。
また、前述したように、左壁部１１１とベース本体１１０との接合部分にリブ１１５を設け、左壁部１１１を変形し難くしている。
これにより、メダルセレクタ１０の装着前と装着後において、押圧部１３０の多少の変形はあるものの、左壁部１１１全体としては、ほぼ直立した形状を保つことができる。
このため、左壁部１１１の全体の変形を伴うことなく、押圧部１３０の弾性変形によってメダルセレクタ１０を押圧固定することができる。
このように、本発明のセレクタホルダー１１は、左壁部１１１に、当該左壁部１１１を元の形態に戻した状態においてメダルセレクタ１０を押圧可能な領域として押圧部１３０が設けられ、この押圧部１３０による押圧により、セレクタホルダー１１に装着されたメダルセレクタ１０を固定するようにしている。
【００３１】
このような本発明のセレクタホルダー１１の特徴について、改良前のセレクタホルダー１１ａと対比して説明する。
図８は、改良前のセレクタホルダー１１ａの外観図である。
図９及び図１０は、改良前のセレクタホルダー１１ａに対するメダルセレクタ１０の装着方法を示す図であり、図９は上方模式図、図１０は斜視図である。
図１０（ａ）は装着前のセレクタホルダー１１ａを示す図であり、図９（ａ）は装着開始時、図９（ｂ）及び図１０（ｂ）は装着中（装着完了直前）、図９（ｃ）及び図１０（ｃ）は装着完了後を示す図である。
なお、改良前のセレクタホルダー１１ａは、基本的な構造は本発明のセレクタホルダー１１と共通するため、共通する部分の説明は省略し、異なる部分のみ説明する。
【００３２】
改良前のセレクタホルダー１１ａは、図８等に示すように、右壁部１１２ａとベース本体１１０ａとが一体に形成された金属部材と、左壁部１１１ａを形成する樹脂部材とからなり、左壁部１１１ａとベース本体１１０ａとをネジで固定することで組立てられる。
このため、改良前のセレクタホルダー１１ａは、金属部材と樹脂部材とを組み立てる工程が必要である。
これに対し、本発明のセレクタホルダー１１は、樹脂のみを用いて一体に成形されているため、改良前のセレクタホルダー１１ａよりも部品点数を少なくすることができ、組み立て工程も不要である。
【００３３】
改良前のセレクタホルダー１１ａは、主に金属部材で構成されているが、金属では弾性が得られにくいため、メダルセレクタ１０の着脱時に弾性をもって変形することが必要な左壁部１１１ａは樹脂部材で構成している。
このような構成の改良前のセレクタホルダー１１ａは、樹脂部材の弾性そのもの、すなわち、樹脂で構成された左壁部１１１ａの全体の弾性を利用した構成となっている。
また、改良前のセレクタホルダー１１ａは、このような左壁部１１１ａの全体の弾性を利用してメダルセレクタ１０を押圧固定すべく、当該左壁部１１１ａの端部に突起（第１突起部１４０）を設け、この第１突起部１４０によりメダルセレクタ１０の左側部１０４を押圧するようにしている（図９（ｃ）、図１０（ｃ）等参照）。
このとき、第１突起部１４０は、メダルセレクタ１０の左側部１０４から反作用として押圧力を受けるため、左壁部１１１ａはその押圧力を受けて外側に傾く。
このため、改良前のセレクタホルダー１１ａの左壁部１１１ａは、メダルセレクタ１０の装着前に比べ装着後の方が外側に広がる。
また、改良前のセレクタホルダー１１ａは、ロック機構として、左壁部１１１ａに、装着状態のメダルセレクタ１０の左凸部１０１の前方を接触した態様で塞ぐ突起部（第２突起部１４１）を設けている。
このため、左壁部１１１ａを、第２突起部１４１が左凸部１０１の前方を塞がない状態になるまで傾けることでメダルセレクタ１０を着脱できるところ、図９（ｂ）及び図１０（ｂ）に示すように、左壁部１１１ａの全体を大きく傾けなければメダルセレクタ１０の着脱ができないようになっている。
【００３４】
以上のように、改良前のセレクタホルダー１１ａは、左壁部１１１ａの全体の弾性を利用してメダルセレクタを押圧固定している。
このため、左壁部１１１ａの全体を大きく変形させなければメダルセレクタ１０を着脱することができない（図９（ｂ）等参照）。
一方、本発明のセレクタホルダー１１は、左壁部１１１ａ全体の弾性ではなく、左壁部１１１の一部の領域からなる押圧部１３０の弾性をもってメダルセレクタ１０を押圧するようにしている。
このため、左壁部１１１を少し変形させるだけでメダルセレクタ１０を着脱することができる。
【００３５】
次に、セレクタホルダー１１と周辺部材との関係について、改良前のセレクタホルダー１１ａと本発明のセレクタホルダー１１とを比較して説明する。
図１１及び図１２は、改良前のセレクタホルダー１１ａと周辺部材を示す図であり、図１１は斜視図、図１２は正面図である。
図１３及び図１４は、本発明のセレクタホルダー１１と周辺部材を示す図であり、図１３は斜視図、図１４は正面図である。
各図において、（ａ）はメダルセレクタ１０の装着前、（ｂ）はメダルセレクタ１０の装着中、（ｃ）はメダルセレクタ１０の装着完了後を示す。
これらの図に示すように、本実施形態のスロットマシン１において、セレクタホルダー１１の左側には錠前９０の構成部品である筒状のシリンダ９１が設けられている。
なお、シリンダ９１を見やすくするため、筒状部材以外の部材は図から削除している。
各図において、Ｄ１〜Ｄ３、Ｄ１１〜Ｄ１３は、それぞれ、左壁部１１１（具体的には端縁部１２３）とシリンダ９１（具体的には頂縁部）との距離を示す。
【００３６】
図１１（ａ）と図１１（ｂ）とを比較するとわかるように、改良前のセレクタホルダー１１ａにおいては、メダルセレクタ１０の装着前から装着中に、左壁部１１１ａが比較的大きく左側に傾く。
すなわち、左壁部１１１ａを大きく変形させなければメダルセレクタ１０を着脱できない。
これは、図１２（ｂ）に示すように、左壁部１１１ａの端縁部１２３ａが、シリンダ９１の頂縁部との距離Ｄ１２がほぼないところまで大きく移動していることからもわかる。
これに対し、図１３（ａ）と図１３（ｂ）とを比較するとわかるように、本発明のセレクタホルダー１１においては、メダルセレクタ１０の装着前から装着中に、左壁部１１１は比較的小さく左側に傾く。
すなわち、左壁部１１１ａを相対的に少し変形させるだけでメダルセレクタ１０を着脱できる。
これは、図１４（ｂ）に示すように、左壁部１１１の端縁部１２３が、シリンダ９１側に移動するものの、シリンダ９１の頂縁部との間に相当の距離Ｄ２があり、上記距離Ｄ１２と比較してもＤ２の方が明らかに距離があることからもわかる。
【００３７】
このように、改良前のセレクタホルダー１１ａは、メダルセレクタ１０の着脱の際に左壁部１１１ａを大きく変形させる必要があり、これにより、セレクタホルダー１１ａとシリンダ９１との間の空間など周辺空間を圧迫していた。
このため、改良前のセレクタホルダー１１ａは、メダルセレクタ１０の着脱操作を円滑に行うことができない場合があった。
具体的には、メダルセレクタ１０の着脱時に左壁部１１１ａを外側に傾ける途中で端縁部１２３ａがシリンダ９１と接近又は接触することがあり、このため、左壁部１１１ａを十分に傾けることができず、スムーズに着脱できない場合があった。
さらに、このような問題に対処するため、従来のセレクタホルダー１１ａは、左壁部１１１ａのシリンダ９１と接触する端縁部１２３に切り欠き１２４を設けた（図８（ｂ），図１１等参照）。
ただし、このような切り欠き１２４を設けることでシリンダ９１との干渉を無くすことができても、端縁部１２３ａが２カ所に分かれるため、指２本を用いて端縁部１２３ａを押圧操作する必要があり、操作性が低下するといった別の問題が生じていた。
【００３８】
これに対し、本発明のセレクタホルダー１１は、メダルセレクタ１０の着脱中における左壁部１１１の変形を抑えることができることから、セレクタホルダー１１とシリンダ９１との間にある程度の空間を確保することができ、メダルセレクタ１０の着脱を円滑に行うことができる（図１３，１４等参照）。
また、本発明のセレクタホルダー１１によれば、セレクタホルダー１１とシリンダ９１との間にある程度の空間を確保できるため、改良前のセレクタホルダー１１ａのように、左壁部１１１ａに切り欠き１２４を施す必要がないため、端縁部１２３を直線状に形成することができる（図４（ｂ）等参照）。
このため、成形が容易であることに加え、指１本で左壁部１１１を押圧する簡易操作でメダルセレクタ１０の着脱を行うことができる。
【００３９】
また、図１２（ａ）と図１２（ｃ）とを比較するとわかるように、改良前のセレクタホルダー１１ａにおいては、メダルセレクタ１０の装着後においても、左壁部１１１ａが左側に傾く。
このため、従来のセレクタホルダー１１ａは、メダルセレクタ１０が装着されている状態においてもシリンダ９１などの周辺部材と干渉し易く、例えば、シリンダ９１の交換・修理等の保守作業において左壁部１１１ａが邪魔になり、メダルセレクタ１０を取り外した上でこれらの保守作業を行う必要があった。
これに対し、例えば、図１４（ａ）と図１４（ｃ）とを比較するとわかるように、本発明のセレクタホルダー１１においては、メダルセレクタ１０の装着前と装着後において、左壁部１１１の端縁部１２３の位置はほとんど変わらない。
このため、本発明のセレクタホルダー１１によれば、メダルセレクタ１０が装着されている状態においても、シリンダ９１などの周辺部材と干渉し難く、例えば、シリンダ９１の交換・修理等の保守作業を邪魔しない。
【００４０】
（応用例）
本発明のセレクタホルダー１１は、メダルセレクタ１０用の接地部材としてアース端子１５０を別部材として備えている（図４（ａ）参照）が、セレクタホルダー１１の筐体を、導電性を有する導電部材により構成することでアース端子１５０を省くことができる。
導電部材としては、例えば、導電性ポリアセタール樹脂などの導電性プラスチックを挙げることができる。
つまり、セレクタホルダー１１とメダルセレクタ１０とは、押圧部１３０などを介して接触しているため、セレクタホルダー１１を、導電部材で構成することにより、セレクタホルダー１１とメダルセレクタ１０とを電気的に接続された状態にすることができる。
このため、セレクタホルダー１１に直接アース線を接続することにより、メダルセレクタ１０とアース線とをセレクタホルダー１１を介して電気的に接続することができる。
したがって、セレクタホルダー１１を導電部材により構成することにより、別部材であるアース端子１５０を用いることなく、セレクタホルダー１１に直接アース線を接続することによって接地を行うことができる。
これにより、部品点数を削減し、接地に関する手間や費用を抑えることができる。
【００４１】
以上のように、本発明の遊技機は、メダルセレクタ１０を着脱可能なセレクタホルダー１１を備え、このセレクタホルダー１１を、樹脂により一体成形することで部品点数の削減や、組み立て工程の省略ができる。
また、このセレクタホルダー１１は、側壁部１１１を変形させることでメダルセレクタ１０の着脱を行うようにしているが、着脱時を含め側壁部１１１をあまり変形させないようにすることで、周辺の空間をできるだけ圧迫しないようにしている。
このため、周辺部材との干渉がなく、例えば、メダルセレクタ１０の着脱を円滑に行うことができる。
【００４２】
これに対し、従来の遊技機では、前記特許文献１や改良前のセレクタホルダー１１ａのように、金属製を採用していた。
しかし、金属製を採用すると作業性の面でデメリットがあった。
具体的には、メダルセレクタの着脱時に必要な側壁部の弾性が金属では十分に得られないため、金属だけではなく、樹脂の側壁部を別途設ける必要があり、これらを組み立てる手間がかかっていた。
本発明の遊技機によれば、従来の遊技機が改善すべきこのような課題の全部又は一部などを解決することができる。
【００４３】
以上、本発明の遊技機の好ましい実施形態について説明したが、本発明に係る遊技機は上述した実施形態にのみ限定されるものではなく、本発明の範囲で種々の変更実施が可能であることはいうまでもない。
【００４４】
例えば、上述した実施形態では、本発明の側壁部として左壁部１１１を例示して説明したが、右壁部１１２や上壁部１１３などの他の側壁部を適用することもできる。
また、セレクタホルダー１１は、矩形状のメダルセレクタ１０に対応して矩形状のベース本体１１０を備えるが、メダルセレクタ１０を装着可能な形状であればどのような形状であってもよい。
また、上述した実施形態では、メダルセレクタ１０に凸部（左凸部１０１，右凸部１０２）が設けられ、セレクタホルダー１１（左壁部１１１）に凹部（左凹部１２１，右凹部１２２）が設けられた例について説明したが、メダルセレクタ１０に凹部が設けられ、セレクタホルダー１１に凸部が設けられる構成であってもよい。
すなわち、いずれか一方に凸部が設けられ、他方に凹部を設ける構成であればよい。
【符号の説明】
【００４５】
１  スロットマシン
１ａ  前扉
１０  メダルセレクタ
１０１  左凸部
１０２  右凸部
１０３  メダル出口
１０４  左側部
１１  セレクタホルダー
１１０  ベース本体
１１１  左壁部
１１２  右壁部
１１３  上壁部
１１４  下壁部
１１５  リブ
１２１  左凹部
１２２  右凹部
１２３  端縁部
１３０  押圧部
１３１  スリット
１３２  突起部
１３３  非スリット部
１５０  アース端子
９０  錠前（鍵穴）
９１  シリンダ
【図１】
2020065664.tif 000003
【図２】
2020065664.tif 000004
【図３】
2020065664.tif 000005
【図４】
2020065664.tif 000006
【図５】
2020065664.tif 000007
【図６】
2020065664.tif 000008
【図７】
2020065664.tif 000009
【図８】
2020065664.tif 000010
【図９】
2020065664.tif 000011
【図１０】
2020065664.tif 000012
【図１１】
2020065664.tif 000013
【図１２】
2020065664.tif 000014
【図１３】
2020065664.tif 000015
【図１４】
2020065664.tif 000016